(57)【要約】【課題】持ち運んだ先において、筆記具を立てかけることができる付箋紙プリンタを提供する。【解決手段】一方の端部を剥離可能に粘着した多数枚の付箋紙Ｈ１から成る付箋紙束Ｈに臨み、付箋紙束Ｈから付箋紙Ｈ１を１枚ずつ引き剥がし排出口２６に向かって送ると共に、送られてゆく付箋紙Ｈ１に印刷を行う印刷部アッセンブリ３と、印刷部アッセンブリ３を収容すると共に排出口２６を形成した装置ケース２と、鉛直位置３０と水平位置３１との間で、装置ケース２に起倒自在に設けられたハンドル４と、を備え、水平位置３１に倒したハンドル４と装置ケース２の周側面との間に、筆記具３５を立掛け可能な筆記具収容部４０を構成した。【選択図】図１
2008049624.tif 000002
【特許請求の範囲】
【請求項１】
一方の端部を剥離可能に粘着した多数枚の付箋紙から成る付箋紙束に臨み、前記付箋紙束から前記付箋紙を１枚ずつ引き剥がし排出口に向かって送ると共に、送られてゆく前記付箋紙に印刷を行う印刷部アッセンブリと、
前記印刷部アッセンブリを収容すると共に前記排出口を形成した装置ケースと、
当該装置ケースに設けられたハンドルと、を備え、
前記ハンドルと前記装置ケースの側面との間に、筆記具を立掛け可能な筆記具収容部を形成したことを特徴とする付箋紙プリンタ。
【請求項２】
前記ハンドルは、前記装置ケースに対して鉛直位置と水平位置との間で可動するように構成され、前記ハンドルが前記装置ケースに対して前記水平位置のときに前記装置ケースの側面との間に、前記筆記具収容部が形成されることを特徴とする請求項１に記載の付箋紙プリンタ。
【請求項３】
前記ハンドルの内側には、前記筆記具収容部を分割する仕切り片が突設されていることを特徴とする請求項２に記載の付箋紙プリンタ。
【請求項４】
一方の端部を剥離可能に粘着した多数枚の付箋紙から成る付箋紙束に臨み、前記付箋紙束から前記付箋紙を１枚ずつ引き剥がし排出口に向かって送ると共に、送られてゆく前記付箋紙に印刷を行う印刷部アッセンブリと、
前記印刷部アッセンブリを収容すると共に前記排出口を形成した装置ケースと、
前記装置ケースの側面に設けられ、前記装置ケースを把持したときの滑り止めとなる波状部と、を備え、
前記波状部と、対応する前記装置ケースの側面との間に、筆記具を立掛け可能な筆記具収容部を構成したことを特徴とする付箋紙プリンタ。
【請求項５】
前記装置ケースと前記波状部とは、一体に成形されていることを特徴とする請求項４に記載の付箋紙プリンタ。
【請求項６】
前記波状部の表面は、滑止め加工されていることを特徴とする請求項４または５に記載の付箋紙プリンタ。
【発明の詳細な説明】
【技術分野】
【０００１】
本発明は、付箋紙束から一枚ずつ付箋紙を引き剥がして印刷する付箋紙プリンタに関するものである。
【背景技術】
【０００２】
従来、付箋紙プリンタではないが、この種のプリンタとして、プリンタを持ち運ぶための手提げ用ハンドルを備えたものが知られている（特許文献１参照）。
【特許文献１】特開２００４−８２４５５号公報
【発明の開示】
【発明が解決しようとする課題】
【０００３】
ところで、付箋紙プリンタを持ち運ぶ際、付箋紙プリンタから排出された付箋紙に書き込みを行うことがあるため、同時に筆記具を持って行く場合がある。このとき、付箋紙プリンタを持ち運んだ先に、筆記具を立てかけるところがあるとは限らないため、この場合、筆記具が机の上などに放り出されてしまうか、あるいは、別に筆記具立てを持っていかなければならない。このため、前者の場合、放り出された筆記具がどこかに行ってしまい、付箋紙にメモしたいときに筆記具を探さなければならず手間となり、また、後者の場合、筆記具立てと付箋紙プリンタを別々に持ち運ぶこととなり、ユーザにとって煩わしい問題がある。
【０００４】
本発明は、持ち運んだ先において、筆記具を立てかけることができる付箋紙プリンタを提供することを課題とする。
【課題を解決するための手段】
【０００５】
本発明の付箋紙プリンタは、一方の端部を剥離可能に粘着した多数枚の付箋紙から成る付箋紙束に臨み、付箋紙束から付箋紙を１枚ずつ引き剥がし排出口に向かって送ると共に、送られてゆく付箋紙に印刷を行う印刷部アッセンブリと、印刷部アッセンブリを収容すると共に排出口を形成した装置ケースと、装置ケースに設けられたハンドルと、を備え、ハンドルと装置ケースの側面との間に、筆記具を立掛け可能な筆記具収容部を形成したことを特徴とする。
【０００６】
この構成によれば、付箋紙プリンタを持ち運ぶためのハンドルと装置ケースとの間に形成されたスペースを筆記具収容部として利用することで、付箋紙プリンタを持ち運んだ先において、筆記具を立てかけることができる。
【０００７】
この場合、ハンドルは、装置ケースに対して鉛直位置と水平位置との間で可動するように構成され、ハンドルが装置ケースに対して水平位置のときに装置ケースの側面との間に、筆記具収容部が形成されることが、好ましい。
【０００８】
この構成によれば、ハンドルが水平位置にあるため、ハンドルに対し筆記具を立て掛け易く構成することができる。
【０００９】
この場合、ハンドルの内側には、筆記具収容部を分割する仕切り片が突設されていることが、好ましい。
【００１０】
この構成によれば、筆記具収容部が幅広に形成されている場合、仕切り片により筆記部収容部を分割することで、筆記具が倒れることなく立てかけることができる。
【００１１】
本発明の他の付箋紙プリンタは、一方の端部を剥離可能に粘着した多数枚の付箋紙から成る付箋紙束に臨み、付箋紙束から付箋紙を１枚ずつ引き剥がし排出口に向かって送ると共に、送られてゆく付箋紙に印刷を行う印刷部アッセンブリと、印刷部アッセンブリを収容すると共に排出口を形成した装置ケースと、装置ケースの側面に設けられ、装置ケースを把持したときの滑り止めとなる波状部と、を備え、波状部と、対応する装置ケースの側面との間に、筆記具を立掛け可能な筆記具収容部を構成したことを特徴とする。
【００１２】
この構成によれば、付箋紙プリンタを持ち運ぶための波状部と装置ケースとの間に形成されたスペースを筆記具収容部として利用することで、付箋紙プリンタを持ち運んだ先において、筆記具を立てかけることができる。
【００１３】
この場合、装置ケースと波状部とは、一体に成形されていることが、好ましい。
【００１４】
この構成によれば、装置ケースと波状部とを一体に成形することにより、部品点数を減らすことができ、組立工数を削減することができる。
【００１５】
この場合、波状部の表面は、滑止め加工されていることが、好ましい。
【００１６】
この構成によれば、付箋紙プリンタをしっかりと把持することができるため、把持した付箋紙プリンタを、手を滑らせて落としてしまうことが無い。
【発明を実施するための最良の形態】
【００１７】
以下、添付の図面を参照して、本実施形態に係る付箋紙プリンタについて説明する。この付箋紙プリンタは、パソコンと接続されており、パソコンからの制御により、装置ケース内部にセットされた付箋紙束から、１枚ずつ付箋紙を引き剥がしながら印刷を行って、装置外部に印刷済みの付箋紙を排出するものである。
【００１８】
図１に示すように、付箋紙プリンタ１は、外殻を成す装置ケース２と、装置ケース２内部に格納され、装置ケース２内部にセットした付箋紙束Ｈから付箋紙Ｈ１を引き剥がしながら印刷を行う印刷部アッセンブリ３と、装置ケース２外部に設けられ、付箋紙プリンタ１を持ち運ぶためのハンドル４と、を備えている。
【００１９】
図２に示すように、付箋紙束Ｈは、裏面の基端部を部分糊付けした長方形状の複数枚の付箋紙Ｈ１を積層したものである。付箋紙Ｈ１は、付箋紙束Ｈから１枚ずつ剥離されて、剥離後に、この基端部の糊付け部（接着剤）を介して、手帳等に貼着可能に構成されている。
【００２０】
印刷部アッセンブリ３は、付箋紙束Ｈをセットする付箋紙ホルダ１０と、セットした付箋紙束Ｈの最上位の付箋紙Ｈ１を捲上げ位置２０において捲り上げた後、付箋紙Ｈ１を引き剥がして排出するピックアップローラ１１と、ピックアップローラ１１により送られてゆく付箋紙Ｈ１に印刷を行うサーマルヘッド１２と、ピックアップローラ１１を捲上げ位置２０とサーマルヘッド１２に接触する印刷位置２１との間で移動させるローラアーム１３と、インクリボンＲを収容したリボンカートリッジＣと、を有している。つまり、ピックアップローラ１１は、サーマルヘッド１２に対峙するプラテンローラとしての役割も兼ねている。
【００２１】
印刷部アッセンブリ３は、付箋紙ホルダ１０にセットされた付箋紙束Ｈに対し、ピックアップローラ１１を捲上げ位置２０に臨ませて、最上位の付箋紙Ｈ１を捲り上げ、この状態でローラアーム１３によりピックアップローラ１１を印刷位置２１に移動させる。すると、印刷位置２１に移動したピックアップローラ１１は、捲り上げた付箋紙Ｈ１と装着したリボンカートリッジＣから繰り出されるインクリボンＲとを、サーマルヘッド１２と共に挟み込み、ピックアップローラ１１によりこれを排出口２６に向かって送ると共に、送られてゆく付箋紙Ｈ１にサーマルヘッド１２によりインクリボンＲのインクを熱転写している。
【００２２】
装置ケース２は、全体として小型に形成されており、装置ケース２の下部前面には、付箋紙ホルダ１０を装置ケース２内部に前方から引出し式で導入するための付箋紙導入開口２５が形成されている。装置ケース２の上部前面中央には、印刷済み付箋紙Ｈ１を装置ケース２外部に送り出すための水平スリット状の排出口２６と、排出口２６を境に装置ケース２内部から装置ケース２外部へ延在し、引き剥がされた印刷済み付箋紙Ｈ１を受け留める受け部２７と、が形成されている。また、装置ケース２の上面には、リボンカートリッジＣを装着すると共に、メンテナンスのための開閉蓋２８が取り付けられている。
【００２３】
ハンドル４は、Ｕ字状に形成され、ハンドル４の両端部は、装置ケース２の両側面に回動自在に設けられている。ハンドル４は、水平に配置した付箋紙プリンタ１に対し、鉛直方向に起立した鉛直位置３０と、付箋紙プリンタ１の背面側に水平方向に倒れた水平位置３１との間で移動自在となっており、付箋紙プリンタ１を持ち運ぶ際は、ハンドル４を鉛直位置３０に移動させてこれを持ち運び、付箋紙プリンタ１を使用する際は、ハンドル４を水平位置３１に移動させる。このとき、水平位置３１に臨んだハンドル４は、装置ケース２の背面との間に筆記具（例えば、鉛筆や定規等）３５を立掛け可能な筆記具収容部４０を形成している。
【００２４】
また、ハンドル４の内側には、筆記具収容部４０を分割する仕切り片４１が突設されている。仕切り片４１は、装置ケース２から僅かに間隙を存するよう設けられており、この間隙によりハンドル４の回動動作に伴う仕切り片４１と装置ケース２との接触を避けている。このため、筆記具収容部４０が幅広に形成されていたとしても、筆記具収容部４０を仕切り片４１により仕切ることで筆記具３５が倒れることなく立て掛けることができる。
【００２５】
以上の構成によれば、ハンドル４と装置ケース２との間に形成されたスペースを、筆記具３５を立て掛けるための筆記具収容部４０とすることで、スペースを有効利用することができ、また、付箋紙プリンタ１を持ち運んだ先において、筆記具３５を立て掛けることができる。なお、筆記具３５と付箋紙プリンタ１とが一体となって持ち運びができるよう、ハンドル４に対し筆記具３５を保持可能な構成としても良い。
【００２６】
次に、図３を参照して、第２実施形態に係る付箋紙プリンタ１について説明する。以下、重複した記載を避けるため、異なる部分についてのみ説明する。この付箋紙プリンタ１は、第１実施形態のハンドル４に代えて、装置ケース２の両側面に添設された一対の波状部５０を備えている。
【００２７】
各波状部５０は、例えば４つの凸状の山部５１が水平方向に連なって構成されると共に、装置ケース２の側面下端部に一体となって成形されており、各波状部５０の表面は、滑止め加工がなされている。すなわち、一対の波状部５０は、付箋紙プリンタ１を把持する把持部となっており、装置ケース２を把持したときに、手を滑らせて落としてしまわないよう構成されている。また、一対の波状部５０の少なくとも一方の波状部５０は、装置ケース２の側面との間に筆記具３５を差込み可能（立掛け可能）な筆記具収容部４０を、山部５１に対応するよう４つ形成している。つまり、装置ケース２と波状部５０（山部５１）とにより、装置ケース２の側面に半筒状の筆記具立てが形成されている。この構成においても、付箋紙プリンタ１を持ち運んだ先において、筆記具３５を立て掛けることができる。なお、この波状部５０を有底とし、筆記具３５を付箋紙プリンタと一緒に持ち運びできるようにしてもよい。
【図面の簡単な説明】
【００２８】
【図１】本実施形態に係る付箋紙プリンタの外観斜視図である。
【図２】本実施形態に係る付箋紙プリンタの内部模式図である。
【図３】第２実施形態に係る付箋紙プリンタの外観斜視図である。
【符号の説明】
【００２９】
１…付箋紙プリンタ  ２…装置ケース  ３…印刷部アッセンブリ  ４…ハンドル  ２６…排出口  ３０…鉛直位置  ３１…水平位置  ３５…筆記具  ４０…筆記具収容部  ４１…仕切り片  ５０…波状部  Ｈ…付箋紙束  Ｈ１…付箋紙
【図１】
2008049624.tif 000003
【図２】
2008049624.tif 000004
【図３】
2008049624.tif 000005